(57)【特許請求の範囲】
【請求項１】
前向きに開口したキャビネット本体の内部に、複数段の抽斗を前後動自在に配置しており、いずれか１つの抽斗の前端部を構成する鏡板に、当該鏡板の前面に鍵穴が開口した錠を取付けている一方、
前記キャビネット本体の内側面には、抽斗の二重引き出し防止機能と全抽斗のオールロック機能とを司る縦杆を、全抽斗を押し込んだ状態で縦杆が上昇すると全抽斗が引き出し不能に保持され、任意の１つの抽斗を引き出すと縦杆が上昇して他の抽斗が引き出し不能に保持されるように設けており、
更に、キャビネット本体の内側面のうち前記縦杆よりも手前側の部位に、前記錠のデッドボルトの動きを前記縦杆に伝える連動部材を設けているキャビネットであって、
前記錠は、デッドボルトが鏡板の裏側に露出するように鏡板の端部に取付けられていると共に、施錠するとデッドボルトが下向き動するように設定されている一方、
前記連動部材は、前端が錠のデッドボルトで押し下げられると後端が上昇したロック姿勢となるように前後中途部においてキャビネット本体の内側面に回動自在に取付けられており、この連動部材の後端と前記縦杆とを一体に上下動するように係合させることにより、抽斗の引き出しによって連動部材が回動するように設定しており、
更に、前記連動部材の前端部とデッドボルトとのうち何れか一方又は両方に、錠が取付けられた抽斗を引き出した後に施錠して押し込むとデッドボルトによって連動部材がロック姿勢に回動させられるようにガイドする傾斜ガイド面を形成している、
ロック機能付きキャビネット。
【請求項２】
前記連動部材の前端部に、抽斗を押し込んだ状態で錠を解錠状態から施錠するとデッドボルトが上方から当たる当接部を設けており、当接部の前端を、引き出した状態で施錠した抽斗を押し込むと前記錠のデッドボルトが当たって連動部材をロック姿勢に回動させる傾斜ガイド面に形成している、
請求項１に記載したロック機能付きキャビネット。
【発明の詳細な説明】
【０００１】
【発明の属する技術分野】
本発明は、ロック機能（ロック装置）を備えたキャビネットに関するものである。
【０００２】
【従来の技術】
キャビネットのロック装置を抽斗の段数とロック態様とから見ると、ａ．キャビネット本体に１つの抽斗だけを備えたものにおいて、当該１つの抽斗をロックするもの、ｂ．複数の抽斗を多段に備えている場合に、１つだけの抽斗をロックするもの、ｃ．複数の抽斗を多段に備えている場合に、全段の抽斗をオールロックできるもの、に大別される。
【０００３】
他方、錠の設置場所から見ると、キャビネット本体に錠を取付ける場合と、抽斗に錠を取付ける場合とに大別されるが、一般には、抽斗に錠を設けることが多い。
【０００４】
そして、ａとｂのように１つだけの抽斗をロックする場合、抽斗の上端部に錠を設けて、錠のデッドボルトをキャビネット本体のカマチに係合させてロックする構成と、ラッチ機構を構成する部材にデッドボルトを係合させて、ラッチ爪を回動不能に保持することによってロックする構成とに分けられる。
【０００５】
他方、ｃのオールロックの場合は、キャビネット本体の左右内側面に上下長手の縦杆を昇降自在に配置し、この縦杆の上昇動によって全段の抽斗がロックされるように構成する一方、最上段のキャビネットの鏡板の上端部に錠を取付け、この錠のデッドボルトの動きを、キャビネット本体における天板の中空部に内蔵した連動機構を介して縦杆に伝えるように構成されている（例えば実用新案登録第２５７６６９２号公報や特開平１０−１８４１５１号公報参照）。
【０００６】
オールロック機能を設ける場合は、一般に、１つの抽斗を引き出すと他の抽斗は引き出し不能として転倒を防止する二重引き出し防止機能を併有している。
【０００７】
【発明が解決しようとする課題】
１つの抽斗だけをロックするにおいて、錠のデッドボルトをキャビネット本体のカマチに直接に係合させる方法では、デッドボルトに直接に荷重が掛かるためロック機能が低いという問題がある。
【０００８】
同様に、１つの抽斗だけをロックするにおいて、抽斗のラッチ機構を利用してロックする方法でも、引き手を引くことによる荷重が錠のデッドボルトに直接に作用するため、ロック機能が低いという問題がある。
【０００９】
更に、全段の抽斗をオールロックするにおいて、従来のようにキャビネット本体における天板の中空部に連動機構を内蔵する構成では、キャビネット本体の天板を薄くすることができないため、デザインの面で制約を受けたり、天板が厚くなる分だけ収容容積が少なくなるという問題がある。
【００１０】
更に、従来のオールロック装置付きのキャビネットでは、錠は最上段の抽斗の左右中間部にしか取り付けることができないという点も問題であった。
【００１１】
本願発明は、このような問題を解消することを目的とするものである。
【００１２】
【課題を解決するための手段】
請求項１の発明に係るキャビネットは、前向きに開口したキャビネット本体の内部に、複数段の抽斗を前後動自在に配置しており、いずれか１つの抽斗の前端部を構成する鏡板に、当該鏡板の前面に鍵穴が開口した錠を取付けている一方、前記キャビネット本体の内側面には、抽斗の二重引き出し防止機能と全抽斗のオールロック機能とを司る縦杆を、全抽斗を押し込んだ状態で縦杆が上昇すると全抽斗が引き出し不能に保持され、任意の１つの抽斗を引き出すと縦杆が上昇して他の抽斗が引き出し不能に保持されるように設けており、更に、キャビネット本体の内側面のうち前記縦杆よりも手前側の部位に、前記錠のデッドボルトの動きを前記縦杆に伝える連動部材を設けている。
【００１３】
そして、前記錠は、デッドボルトが鏡板の裏側に露出するように鏡板の端部に取付けられていると共に、施錠するとデッドボルトが下向き動するように設定されている一方、前記連動部材は、前端が錠のデッドボルトで押し下げられると後端が上昇したロック姿勢となるように前後中途部においてキャビネット本体の内側面に回動自在に取付けられており、この連動部材の後端と前記縦杆とを一体に上下動するように係合させることにより、抽斗の引き出しによって連動部材が回動するように設定しており。
【００１４】
更に、前記連動部材の前端部とデッドボルトとのうち何れか一方又は両方に、錠が取付けられた抽斗を引き出した後に施錠して押し込むとデッドボルトによって連動部材がロック姿勢に回動させられるようにガイドする傾斜ガイド面を形成している。
【００１５】
請求項２の発明では、請求項１において、前記連動部材の前端部に、抽斗を押し込んだ状態で錠を解錠状態から施錠するとデッドボルトが上方から当たる当接部を設けており、当接部の前端を、引き出した状態で施錠した抽斗を押し込むと前記錠のデッドボルトが当たって連動部材をロック姿勢に回動させる傾斜ガイド面に形成している。
【００１６】
【００１７】
【００１８】
【発明の作用・効果】
本願発明では、抽斗はキャビネット本体の内側面に配置されたロック機構によって引き出し不能に保持されるため、抽斗を引き出そうとするときの荷重が錠のデッドボルトに直接に作用することはなく、このためロック機能が高い。
【００１９】
また、多段の抽斗をオールロックするにおいてロック機構はキャビネット本体の内側面に配置しているため、天板の厚さに制約を受けることはなく、その結果、天板の厚さを薄くすることができてデザインの多様化や収容容積の増大に寄与できる。また、錠はどの段の抽斗にも取り付けることができるため、この面からもデザインの自由性に寄与できる。
【００２０】
なお、キャビネット本体の内側面と抽斗の外側面との間にはレール装置などを配置するための空間が空いており、この空間を利用してロック機構を配置できるため、キャビネット本体の内側面にロック機構を設けたことによって抽斗の横巾を小さくしなければならない必要はない。すなわち、本来的に存在するデッドスペースを利用するものであるため、収容容積が減少することはない。
【００２１】
ところで、キャビネットを使用する場合、キーの保管者が帰宅等でいなくなった後でもキャビネットを使用したい場合があるが、この場合、従来は、キャビネットを使用した後は解錠状態にしておかねばならず、ロック機構の意義が没却されていた。
【００２２】
この点、本願発明では、抽斗を引き出した状態で施錠してから抽斗をキャビネット本体内に押し込むと、いわゆる蹴り込みにより、抽斗がキャビネット本体に収納されるの同時に縦杆が上昇して各抽斗はオールロックされるため、キーなしでロックすることができて、使用価値が高い。
【００２３】
【発明の実施形態】
次に、本発明の実施形態を図面に基づいて説明する。
【００２４】
図１の斜視図に示すように、キャビネットは、前向きに開口した本体１と、その内部に前後動自在に配置した３段の抽斗２とから成っている。本実施形態では、上段の抽斗２の左端部（右端部でも良い）に錠３を取り付けている。
【００２５】
抽斗２は、上向きに開口した本体収容部４と中空状の鏡板５とを備えており、サスペンションレール装置６により、キャビネット本体１に前後動自在に支持されている。鏡板５はキャビネット本体１の前面に重なっている。
【００２６】
サスペンションレール装置６は、キャビネット本体１に固定した固定レール７と、抽斗２に固定した可動レール８と、両者がスライド自在に嵌まった中間レール９とを備えおり、固定レール７で中間レール８を抱き込み、中間レール９で移動レール８を抱き込んだ状態になっている。詳細は省略するが、中間レール９及び移動レール８はローラを介して支持されている。
【００２７】
図示していないが、各抽斗２の側面部には、抽斗２を押し込むとキャビネット本体１に設けた係合部に自動的に係合し、引き手１０を引くと係合部から離反するラッチ爪を設けている。
【００２８】
(1).ロック装置の基本構造
次に、図２以下の図面を参照して、ロック機能（ロック装置）について説明する。図２は図１のII-III視断面図、図３は分離斜視図、図４は図２のIV−IV視平断面図、図５は上段の抽斗を引き出した状態の側断面図、図６はロック状態での側断面図、図７は施錠状態で抽斗を押し込む状態の側断面図である。
【００２９】
図示していないが、鏡板３の左右端部の裏面には弾性ストッパーを設けており、このため、抽斗２を押し込み切った状態で鏡板３とキャビネット本体１の前面との間には若干の隙間が空いている。
【００３０】
例えば図３から容易に理解できるように、キャビネット本体１の左内側面に設けた縦溝１１に、上下長手の縦杆１２を昇降自在に装着している。縦杆１２はサスペンションレール６等によって抜け不能に保持されており、また、図示しないガイド部材により、前後・左右のいずれの方向にもガタ付きがない状態で昇降する。
【００３１】
各抽斗本体１の左外側面には、抽斗側ロック体１３をねじ止めや嵌め込みなどの方法で固定している。抽斗側ロック体１３の上端には抽斗側ストッパー１４が横向きに突設されており、下端には側面視山形の抽斗側ガイド体１５を突設している。抽斗側ストッパー１５の下面は後方に向けて高くなる傾斜面１５ａになっている。
【００３２】
また、中間レール９のうち、抽斗２の押し込み状態で縦杆１２と対応する部位の上面には、後端に傾斜面１６ａを有する逆台形状のガイド用凹所１６が凹み形成されている。図示していないが、固定レール７には、ガイド用凹所１６を上向きに露出するための長穴が形成されている（必要なら、特開平１０−１８４１５１号参照）。
【００３３】
縦杆１２のうち各抽斗２に対応した部位には、本体側ストッパー１７と本体側上ガイド体１８と本体側下ガイド体１９とを設けている。本体側上ガイド体１８は逆台形状に形成されており、抽斗２を前後動させると後部傾斜面１８ａが抽斗側ガイド体１５に当接するように設定されている。
【００３４】
本体側ストッパー１７は、抽斗２を押し込んだ状態で上昇すると抽斗側ストッパー１４の前方に位置するように設定されており、その上面は手前側に向けて下がって傾斜面１７ａになっている。
【００３５】
本体側ストッパー１７の上面と抽斗側ストッパー１４の下面とが側面視で略平行に延びる傾斜面になっているため、非施錠状態でいずれかの抽斗２を引き出すと、当該抽斗２の引き出し動を阻害することなく縦杆１２は上昇する。逆に、引き出した抽斗２を押し込むと、当該抽斗２の押し込み動を阻害することなく縦杆１２は下降動する。
【００３６】
本体側下ガイド体１９は中間レール９の上面に載るように正面鉤状に形成されており、抽斗２を押し込んだ状態では、ガイド用凹所１６に落ち込んでいる。抽斗２を引き出すと、中間レール９は抽斗２の半分の量だけ引き出され、かつ、中間レール９の前後動速度は抽斗２の前後動速度の半分になっている。
【００３７】
このため、押し込んだ状態の抽斗２を引き出すと、主として、抽斗側ガイド体１５で本体側上ガイド体１８を押し上げることによって縦杆１２が上昇し、抽斗側ガイド体１５が本体側上ガイド体１８から外れると、図５に示すように、本体側下ガイド体１９が中間レール９の上面に載って、縦杆１２は上昇位置に保持される。
【００３８】
縦杆１２が上昇すると、他の抽斗２の抽斗側ストッパー１４の前方に本体側ストッパー１７が位置しているため、他の抽斗２は引き出すことができない。これによって抽斗２の二重引き出しが防止される。引き出した抽斗２を押し込み切ると、本体側下ガイド体１９がガイド用凹所１６に落ち込んで、縦杆１２は下降動する。
【００３９】
(2).連動部材
キャビネット本体１の内側板１ａのうち縦杆１２よりも手前側の部位でかつ上段の抽斗２の高さ位置には、前後長手の連動部材２１を配置している。本実施形態の連動部材２１は合成樹脂製であり、ほぼ前後中間部に、キャビネット本体１の内側板１ａに穿設したダルマ形穴２２に落とし込み嵌合されるピン部２３を設けている。
【００４０】
従って、連動部材２１は、ピン部２３を中心にして上下回動しうる。連動部材２１はねじやピンで内側板１ａに取付けても良いが、実施形態のようにダルマ形穴２２に落とし込むと、取付け作業を簡単に行える利点がある。
【００４１】
連動部材２１の後端には、縦杆１２に形成した係合穴２４に嵌合する爪部２５を形成している。従って、縦杆１２が昇降すると連動部材２１は一緒に回動し、連動部材２１が回動すると縦杆１２は一緒に昇降する。
【００４２】
連動部材２１の前部には段状の当接部２６が形成されており、更に、当接部２６の前端は下向きに傾斜した傾斜ガイド面２６ａが形成されている。
【００４３】
(3).錠及び解施錠
前記錠３は、キー２７で解施錠されるシリンダ錠であり、その後端部には横向きフランジ２８と上向きフランジ２９とを備えている。手前側に位置した横向きフランジ２８は鏡板５の中間仕切り板３０に重なっており、後方に位置した上向きフランジ２９は鏡板５の後端板３１に重なっている。
【００４４】
そして、シリンダ錠３の後端部は鏡板５の側部から後方に向けて露出しており、この露出部の下面からデッドボルト３２が後ろ向きに延びている。デッドボルト３２は、解錠状態では図３に実線で示すように上昇しており、施錠すると図３に一点鎖線で示すように下降動する。
【００４５】
そして、図２に示すように、解錠状態では、錠３のデッドボルト３２は、縦杆１２が下降した状態での連動部材２１の当接部２６の上面に位置しており、このため、任意の抽斗２を引き出すことができる。
【００４６】
他方、図６に示すように、全段の抽斗２を押し込んだ状態で錠３を施錠すると、デッドボルト３２が下降することによって連動部材２１がロック姿勢に回動し、これにより、縦杆１２が上昇して各抽斗２は引き出し不能にロックされる。この場合、縦杆１２は、抽斗２の引き出しによって上昇する場合よりも高く上昇するように設定しているが、これはロックを確実にするためである。
【００４７】
図７では、上段の抽斗２を引き出した状態で施錠し、この施錠状態で押し込む場合の状態を示している。この状態では、縦杆１２は上昇状態から下降に転じており、このため連動部材２１は、手前側が下向き動するように若干回動しており、その状態で、錠３のデッドボルト３２が連動部材２１の傾斜ガイド面２６ａに当たり、傾斜ガイド面２６ａのガイド作用により、連動部材２１はロック姿勢に向けて回動する。
【００４８】
すなわち、縦杆１２は下降し切る前に連動部材２１の回動によって上昇に転じ、これによって自動的にロック状態になる。その場合、デッドボルト３２が連動部材２１の傾斜ガイド面に当たる時に、上段の抽斗２の抽斗側ストッパー１４は殆ど本体側ストッパー１７から逃げるように設定しており、このため、連動部材２１の回動によって縦杆１２が回動しても、抽斗側ストッパー１４と本体側ストッパー１７とは干渉しない。
【００４９】
従って、引き出した抽斗２を施錠してから押し込むと、いわゆる蹴り込み作用により、縦杆１２が下降状態から上昇して自動的にロックされるのである。
【００５０】
(4).その他
本発明は上記の実施形態の他にも様々に具体化することができる。例えば、実施形態ではロック機構と錠とをキャビネットの左側に設けているが、右側に設けてもよい。
【００５１】
また、錠は上段の抽斗には限らず、中段の抽斗や下段の抽斗に設けることも可能である。
【００５２】
連動部は１部材で構成することに限らず、複数の部材で構成されていても良い。
【００５３】
【図面の簡単な説明】
【図１】本発明の実施形態に係るキャビネットの斜視図である。
【図２】図１のII-III視断面図である。
【図３】ロック装置の分離斜視図である。
【図４】図２のIV−IV視平断面図である。
【図５】上段の抽斗を引き出した状態の側断面図である。
【図６】ロック状態での側断面図である。
【図７】施錠状態で抽斗を押し込む状態の側断面図である。
【符号の簡単な説明】
１  本体
２  抽斗
３  錠
５  抽斗の鏡板
９  中間レール
１２  縦杆
１３  抽斗側ロック部材
１４  抽斗側ストッパー
１５  抽斗側ガイド体
１６  ガイド用凹所
１７  本体側ストッパー
１８  本体側上ガイド体
１９  本体側下ガイド体
２１  連動部材
２３  ピン部
２５  爪部
２６  当接部
２６ａ  傾斜ガイド面
３２  錠のデッドボルト
【図１】
0003850698.tif 000002
【図２】
0003850698.tif 000003
【図３】
0003850698.tif 000004
【図４】
0003850698.tif 000005
【図５】
0003850698.tif 000006
【図６】
0003850698.tif 000007
【図７】
0003850698.tif 000008